(57)【要約】【課題】排水性の確保に優れる開口部装置を提供する。【解決手段】建物開口部の４辺に沿って設けられ、２本の縦枠３０、４０と上横枠５０と下横枠６０とを枠状に組み合わせることにより形成される枠体２、及び枠体内に配置される引戸式の障子１０、２０を備える開口部装置１であって、下横枠は、該下横枠の長手方向に直交する断面において中空部Ｃを有し、該中空部を形成する少なくとも１片８０が着脱可能に形成されるとともに、該着脱可能である片には、貫通孔８１ａ、８１ａ、８１ａが設けられ、中空部を形成する他の片のうち少なくとも１片には、貫通孔が設けられるとともに該貫通孔に弁７５が配置されていることを特徴とする。【選択図】図４
2010070917.tif 000002
【特許請求の範囲】
【請求項１】
建物開口部の４辺に沿って設けられ、２本の縦枠と上横枠と下横枠とを枠状に組み合わせることにより形成される枠体、及び前記枠体内に配置される引戸式の障子を備える開口部装置であって、
前記下横枠は、該下横枠の長手方向に直交する断面において中空部を有し、該中空部を形成する少なくとも１片が着脱可能に形成されるとともに、該着脱可能である片には貫通孔が設けられ、前記中空部を形成する他の片のうち少なくとも１片には、貫通孔が設けられるとともに該貫通孔に弁が配置されていることを特徴とする開口部装置。
【請求項２】
前記下横枠は、前記障子を載置するレールを備え、
前記中空部の前記着脱可能である片は、前記建物開口部に取り付けられたときに最も室外側に配置される前記レールより室内側となる位置に設けられることを特徴とする請求項１に記載の開口部装置。
【請求項３】
前記中空部の見付方向外側にさらに他の中空部が設けられ、前記中空部と前記他の中空部とは連通されており、前記他の中空部を形成する少なくとも１片には貫通孔が設けられるとともに該貫通孔に弁が配置されていることを特徴とする請求項１又は２に記載の開口部装置。
【発明の詳細な説明】
【技術分野】
【０００１】
本発明は、建物開口部に備えられるいわゆるサッシである開口部装置に関し、詳しくは、メンテナンス性に優れる排水構造を備える開口部装置に関する。
【背景技術】
【０００２】
住宅等の建物開口部に配置される引戸式の開口部装置は、開口部に沿って配置される枠体と、該枠体内に具備されて引戸式に開閉する障子とを備えている。このとき、障子はその下端部に戸車を有し、該戸車が枠体の下枠に立設されたレール上に載置されることにより戸車が該レール上を転動して円滑な障子の開閉ができるように構成されている。
【０００３】
枠体の下枠は、雨水や結露水を適切に室外側に排水するために全体として見込方向（開口部装置が建物に配置されたときの室内外方向）室外側に向けて低くなるように傾斜が設けられている。しかしながらレール間に溜まった水は水位がレールの高さを越えた部分のみ排水され、それ以下の水はレール間に溜まったままである。また、近年におけるバリアフリーの構造の要請により下枠上面側を平らに構成する必要が生じており、下枠に傾斜を設けることができないことも多くなってきた。
【０００４】
そこで例えば特許文献１にはレール間の下枠底部に孔を形成し、排水を下枠中空部に導入するとともに、該下枠中空部の室外側面に孔及び弁を配置して排水することのできる開口部装置（サッシ）が開示されている。
【特許文献１】特許第３０６７６１６号公報
【発明の開示】
【発明が解決しようとする課題】
【０００５】
特許文献１に記載の開口部装置では、レール間に入った水を排水することができる。しかしながらここに流入する水は、開口部装置が配置される位置を考慮するとゴミ等の異物を含む場合が多く、これが下枠中空部に流入して堆積してしまう場合があった。これにより弁が詰まってしまい、適切に排水することができない場合があった。当該中空部のゴミを除去するためには例えば弁を一度取り除く等、非常に手間のかかるものであった。
【０００６】
そこで本発明は、かかる問題点に鑑み、排水性の確保に優れる開口部装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、建物開口部の４辺に沿って設けられ、２本の縦枠（３０、４０）と上横枠（５０）と下横枠（６０）とを枠状に組み合わせることにより形成される枠体（２）、及び枠体内に配置される引戸式の障子（１０、２０）を備える開口部装置（１）であって、下横枠は、該下横枠の長手方向に直交する断面において中空部（Ｃ）を有し、該中空部を形成する少なくとも１片（８０）が着脱可能に形成されるとともに、該着脱可能である片には、貫通孔（８１ａ、８１ａ、８１ａ）が設けられ、中空部を形成する他の片のうち少なくとも１片（６２）には、貫通孔が設けられるとともに該貫通孔に弁（７５）が配置されていることを特徴とする開口部装置を提供することにより前記課題を解決する。
【０００９】
請求項２に記載の発明は、請求項１に記載の開口部装置（１）の下横枠（６０）は、障子（１０、２０）を載置するレール（７０、７１）を備え、中空部（Ｃ）の着脱可能である片（８０）は、建物開口部に取り付けられたときに最も室外側に配置されるレール（７０）より室内側となる位置に設けられることを特徴とする。
【００１０】
請求項３に記載の発明は、請求項１又は２に記載の開口部装置（１）の中空部（Ｃ）の見付方向外側にさらに他の中空部（Ｄ）が設けられ、中空部と他の中空部と連通されており、他の中空部を形成する少なくとも１片には貫通孔が設けられるとともに該貫通孔に弁（７５）が配置されていることを特徴とする。
【００１１】
ここで、「見付方向」とは全体として平板状である開口部装置の平板面に沿った方向を意味し、「見付方向内側」が開口部装置の中央に近付く方向、「見付方向外側」がこれとは反対の方向を意味する。なお、全体として平板状である開口部装置の厚さ方向を意味するものとして「見込方向」と記載することがある。以下同様である。
【発明の効果】
【００１２】
本発明によれば、排水のための中空部に堆積した異物を容易に除去することができ、排水性の確保に優れる開口部装置を提供することができる。
【００１３】
本発明のこのような作用及び利得は、次に説明する発明を実施するための最良の形態から明らかにされる。
【発明を実施するための最良の形態】
【００１４】
以下本発明を図面に示す実施形態に基づき説明する。ただし本発明は当該実施形態に限定されるものではない。
【００１５】
図１は１つの実施形態に係る開口部装置１を模式的に示した正面図である。図２は開口部装置１の水平断面図、図３は同垂直断面図である。図１は、開口部装置１が建物に取り付けられたときに室外視となる側からの正面図である。図２では、開口部装置１が建物に取り付けられたときに室外側となる側が紙面上、室内側となる側が紙面下となる方向で表されている。図３も同様に開口部装置１が建物に取り付けられたときに室外側となる側が紙面左、室内側となる側が紙面右となる方向で表されている。以下、図１〜図３及び適宜示す図を参照しつつ開口部装置１について説明する。
【００１６】
開口部装置１は、いわゆる引戸式の開口部装置であり、建物開口部の４辺の縁に沿って備えられる枠体２と、該枠体２の内側に配置される内障子１０と、外障子２０とを備えている。
【００１７】
枠体２は、建物開口部の４辺に沿って設けられる長尺の型材である縦枠３０、４０、上横枠５０、及び下横枠６０が枠状に組み合わされて形成されている。縦枠３０、４０の断面形状は図２に、上横枠５０、下横枠６０の断面形状は図３に表されている。また、図４には、図３のうち下横枠６０に注目した図を示した。
【００１８】
縦枠３０、４０は図２に示した断面において見込方向に延在する片３１、４１を有し、該片３１、４１の見付方向内側面から立設する係止片３２、４２を備えている。係止片３２、４２は、内障子１０、外障子２０の閉鎖の姿勢で、戸先框１２、２２に差し込まれて水密気密を図るための部材である。さらに、片３１、４１の見付方向外側面には、該片３１、４１に立設された取付片３３、４３が設けられ、これにより縦枠３０、４０を建物躯体に取り付ける。
【００１９】
上横枠５０は建物開口部上縁に沿って配置される枠材で、図３に示した断面において見込方向に延在する片５１を有し、該片５１見付方向内側面から垂下する並列された２つのガイド５２、５３を備えている。ガイド５２、５３は内障子１０、外障子２０の上框１４、２４の内側にまで差し込まれるように配置され、内障子１０、外障子２０の引戸式の移動をガイドすることができる。さらに、片５１の見付方向外側面には、該片５１に立設された取付片５４が設けられ、これにより上横枠５０を建物躯体に取り付ける。
【００２０】
下横枠６０は建物開口部下縁に沿って配置される枠材である。図４には、図３に示した断面図の下横枠６０に注目する（図４（ａ））とともに、ここに配置されるフタ部材８０の着脱を説明するための図を示した(図４（ｂ））。また、図５には、下横枠６０を図４（ａ）にＡで示した方向（室外側）から見た図を示し、図６には、下横枠６０を図４（ａ）にＢで示した方向（見下ろす方向）から見た図を示した。さらに、図７は、下横枠６０に備えられるフタ材８０の斜視図である。図３〜図７を参照しつつ下横枠６０について説明する。
【００２１】
図４（ａ）からわかるように、下横枠６０は見付方向内外に並列する中空部Ｃ、及び他の中空部Ｄ（以下、単に「中空部Ｄ」と記載することがある。）を備えている。
中空部Ｃは、片６１、６２、６３及び着脱可能な片としてのフタ材８０で囲まれて形成されている。片６１は数か所において折り曲げられて段状となっているが全体として見込方向に延在する片で、中空部Ｃの底面を形成している。また、図４、図６からわかるように、片６１には所定の間隔を有して貫通孔６１ａ、６１ａが設けられている。ここで貫通孔６１ａ、６１ａの径は特に限定されるものではなく、適切な排水性を得ることができれば適宜設定することができる。また本実施形態では貫通孔６１ａ、６１ａは２つであるが、貫通孔の数もこれに限定されることなく、上記径との関係で多く設定してもよいし、１つであってもよい。
【００２２】
片６２は片６１から見付方向内側に立設する片である。図４、図５からわかるように片６２には、排水弁７５が取り付けられている。図４、図５では１つの排水弁７５のみが記載されているが、下横枠６０の長手方向に所定の間隔を有して当該排水弁７５が並列されている。排水弁７５はいわゆる一方弁であり、中空部Ｃ側から室外側（図４（ａ）の紙面左側）へは排水することができるが、逆はできない弁である。これにより室外側からの水や害虫の侵入を防止することができる。また、片６２の先端部には見込方向室内側（図４（ａ）の右側）に突出する係合突起６２ａが設けられている。
【００２３】
片６３は片６１の見付方向内側面で、片６２よりも見込方向室内側に立設された片である。片６３の上端は該上端のみ若干大きく形成され被係合部６３ａとされている。
【００２４】
フタ材８０は、片６２と片６３とを渡すように着脱可能に設けられた片としての部材である。図４（ｂ）には、フタ材８０が離脱した場面を示した。具体的にはフタ材８０は、図４、図７からわかるように所定の断面を有して長手方向に延在する長尺部材であり、基板８１、係合片８２、８３を備えている。基板８１は一部屈折して形成されているが、全体として板状の部材であり、長手方向に所定の間隔を有して貫通孔８１ａ、８１ａ、８１ａが設けられている。ここで貫通孔８１ａ、８１ａ、８１ａの径は特に限定されるものではなく、適切な排水性を得ることができれば適宜設定することができる。また本実施形態では貫通孔８１ａ、８１ａ、８１ａは３つであるが、貫通孔の数もこれに限定されることなく、上記径との関係で多く設定してもよいし、２つ、又は１つであってもよい。
【００２５】
係合片８２は、基板８１の幅方向（図４（ｂ）に表れるフタ材８０の左右方向）一端側で一方の面側に配置される断面形状Ｌ字状の片で、基板８１の端部とによりコ字状を形成している。一方、係合片８３は、基板８１の幅方向他端側が折り返されるように設けられている。
【００２６】
このように形成されたフタ材８０は、係合片８２と、基板８１端部とにより形成されたコ字状部に片６２の係合突起６２ａが差し込まれ、一方、係合片８３の折り返しが片６３の被係合部６３ａに係合することにより装着される。また、これを離脱させることによりフタ材８０を取り外すことができる。
【００２７】
中空部Ｄは、片６１、６４、６５及び片６６で囲まれて形成されている。片６１は上記した中空部Ｃと共通の片であり、貫通孔６１ａ、６１ａにより、中空部Ｃと中空部Ｄとは連通している。
【００２８】
片６４は片６１の見込方向室外側端部から垂下するように設けられた片である。図４、図５からわかるように片６４には、排水弁７６が取り付けられている。図４、図５では１つの排水弁７６のみが記載されているが、下横枠６０の長手方向左右に所定の間隔を有して当該排水弁７６が並列されている。排水弁７６はいわゆる一方弁であり、中空部Ｄ側から室外側（図４（ａ）の紙面左側）へは排水することができるが、逆はできない弁である。これにより室外側からの水や害虫の侵入を防止することができる。
【００２９】
片６５は片６１の見込方向室内側端部から垂下するように設けられた片である。また、片６６は、片６４と片６５とを渡すように設けられている。
【００３０】
さらに下横枠６０は、中空部Ｃの片６２を見付方向内側に延長する方向にレール７０、及び片６１の見込方向室内側端部から見付方向内側に立設するようにレール７１を備えている。レール７０、７１は後述するように内障子１０、外障子２０の戸車１６、２６がこの上を転動するように載置される。また、レール７０の片６２との連結部からは見込方向室外側に延在する片７３が設けられ、該片７３の室外側端部からは網戸用レール７２が立設されている。
【００３１】
従って、レール７０とレール７１との間の底部に中空部Ｃ、さらにその下に中空部Ｄが配置される。
【００３２】
また、図６にＸで示した距離、すなわちフタ材８０の貫通孔８１ａと片６１の貫通孔６１ａとの距離は特に限定されるものではなく、適宜設定することができる。しかしその中でも後述するように、貫通孔８１ａ、８１ａ、８１ａを通って片６１上面に到達した水が該片６１を伝って貫通孔６１ａ、６１ａから落下する経過を考慮すれば、片６１上で水に含まれる比較的大きなゴミ、異物等を片６１の面で留めるため、Ｘは０より大きいことが好ましい。
【００３３】
図１〜図３に戻り開口部装置１に備えられる他の構成について説明する。外障子２０は、ガラスにより形成された面材であるガラスパネル２１、戸先框２２、外召し合わせ框２３、上横框２４、下横框２５を備えている。ここで外障子２０は枠体２の内側を見付方向に引戸式に移動させることができるいわゆる引戸である。本実施形態のガラスパネル２１は、図２、図３に表れているように、複層ガラスであり２枚の平行に配置されたガラス面材が備えられている。
【００３４】
戸先框２２はガラスパネル２１の４辺のうち戸先側に配置される辺に沿って具備される縦框であり、図２に示したような所定の断面を有して長手方向（図２の紙面奥／手前方向）に延在する。また、外召し合わせ框２３は、ガラスパネル２１の戸先と対向する縦縁の１つに沿って設けられ、召し合わせ部分となる縦框であり、やはり図２に示したような所定の断面を有して長手方向（図２の紙面奥／手前方向）に延在する。
【００３５】
上横框２４はガラスパネル２１の上縁に沿って配置される框、下横框２５はガラスパネル２１の下縁に沿って配置される框である。上横框２４、及び下横框２５も図３に示した所定の断面を有して長手方向（図３の紙面奥／手前方向）に延在する。ここで、上横框２４は上方に開口した凹部を備え、下横框２５は内側に戸車２６を具備している。これにより、後述するように外障子２０は引戸式の可動障子として、スライド可能に枠体２内側を移動することができる。
【００３６】
内障子１０は、ガラスパネル１１、戸先框１２、内召し合わせ框１３、上横框１４、及び下横框１５を有している。ここで内障子１０は枠体２の内側を見付方向に引戸式に移動させることができるいわゆる引戸である。ガラスパネル１１は、図２、図３に表れているように、複層ガラスであり２枚の平行に配置されたガラス面材が備えられている。戸先框１２はガラスパネル１１の戸先側縁に沿って配置される長尺部材で、図２に示した断面を有している。内召し合わせ框１３は、ガラスパネル１１の戸先と対向する縦縁に沿って設けられ、召し合わせ部分となる縦框である。上横框１４、及び下横框１５はガラスパネル１１の上下縁のそれぞれに沿って配置される長尺の型材である。ここで、上横框１４は上方に開口した凹部を備え、下横框１５は内側に戸車１６を具備している。これにより、後述するように内障子１０は引戸式の可動障子として、スライド可能に枠体２内側を移動することができる。
【００３７】
さらに開口部装置１には通常の開口部装置に備えられる部材を備えてもよい。これには例えば施錠装置や網戸を挙げることができる。また、上記した縦枠３０、４０、上横枠５０、下横枠６０、戸先框１２、２２、外召し合わせ框２３、内召し合わせ框１３、上横框１４、２４、下横框１５、２５の断面形状は本発明の要旨を変更するものでなければ、変更することができ建物等に合わせて適宜その詳細を決めることができる。
【００３８】
以上のような各構成は例えば次のように組み合わされて開口部装置１とされる。すなわち外障子２０の枠体２への取り付けは、図３からわかるように上横框２４の凹部の内側に上横枠５０のガイド５２を挿入する。そして下横框２５の戸車２６を下横枠６０のレール７０に乗せるように配置する。これにより外障子２０は枠体２内を引戸式に移動することができるようになる。
【００３９】
一方、内障子１０の枠体２への取り付けは、図３からわかるように上横框１４の凹部の内側に上横枠５０のガイド５３を挿入する。そして下横框１５の戸車１６を下横枠６０のレール７１に乗せるように配置する。これにより内障子１０は枠体２内を引戸式に移動することができるようになる。
【００４０】
以上のような開口部装置１が建物開口部に備えられたときに、雨水や結露水は以下に説明するように適切に室外に排出される。図６、及び図８を参照しつつ排水経路について説明する。レール７０とレール７１との間に達した雨水や結露水等の水は、図８の矢印Ｅで示したようにフタ材８０の貫通孔８１ａ、８１ａ、８１ａを通り片６１の上面に落下する。そしてその大部分は図８に矢印Ｆで示したように排水弁７５から屋外に排出される。排水弁７５で排水されなかった水は、図６に矢印Ｇで示したように片６１の上面を伝わって貫通孔６１ａ、６１ａに達する。このとき、片６１の面との摩擦により該片６１表面に水に含まれるゴミ等を留めておくことができ、貫通孔６１ａ、６１ａに達する水は大きなゴミ等をほとんど含まないものとなっている。
【００４１】
そして、貫通孔６１ａ、６１ａに達した水は図８に矢印Ｈで示したように該貫通孔６１ａ、６１ａを貫通して中空部Ｄに達し、矢印Ｊで示したように排水弁７６から排水される。
【００４２】
ここで、雨水や結露水に含まれ、及び開口部装置に付着しこれら水により流されてきたゴミや異物等のうち比較的大きなものは中空部Ｃに堆積する。開口部装置１では、中空部Ｃの上部に配置されているフタ材８０を図４（ｂ）に示したように下横枠６０から取り外すことができるので、堆積したゴミや異物等を容易に除去することができる。これにより容易に適切な排水を確保することができ、排水性の確保に優れる開口部装置を提供することが可能となる。
【００４３】
図９には変形例に係る開口部装置のうち下横枠６０’の断面を示した。これは下横枠６０の断面を表した図４（ａ）に相当する図である。当該変形例に係る開口部装置では下横枠６０’以外の構成は上記した開口部装置１と共通するので、ここでは説明を省略する。また、下横枠６０’においても下横枠６０と共通する部分については、同じ符号を付した。
【００４４】
下横枠６０’には、下横枠６０の片６１に相当する片６１’に貫通孔が設けられていない。従って下横枠６０の中空部Ｃ、Ｄに相当する中空部Ｃ’、Ｄ’間で水の流通がなく、中空部Ｄ’へは水が流れない構成となっている。これにともない、中空部Ｄ’の片６４’には排水弁が設けられていない。
【００４５】
かかる下横枠６０’では、全ての排水が中空部Ｃ’に設けられた排水弁７５により行われる。排水能力を確保することができれば、中空部Ｃ’のみで排水がおこなわれる構成であっても本発明の開口部装置とすることが可能である。これによっても、中空部Ｃ’の上部に配置されているフタ材８０を下横枠６０’から取り外すことができるので、堆積したゴミや異物等を容易に除去することができ、容易に排水を確保することが可能となるからである。
【００４６】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００４７】
【図１】１つの実施形態に係る開口部装置の正面図である。
【図２】開口部装置の水平断面図である。
【図３】開口部装置の垂直断面図である。
【図４】開口部装置の垂直断面図のうち下横枠に注目して示した図である。
【図５】図４にＡで示した矢印の方向から見た図である。
【図６】図４にＢで示した矢印の方向から見た図である。
【図７】フタ材の斜視図である。
【図８】排水経路を説明するための図である。
【図９】変形例に係る開口部装置の下横枠の断面図である。
【符号の説明】
【００４８】
１  開口部装置
２  枠体
１０  内障子（障子）
１１  ガラスパネル
１２  戸先框
１３  内召し合わせ框
１４  上横框
１５  下横框
１６  戸車
２０  外障子（障子）
２１  ガラスパネル
２２  戸先框
２３  外召し合わせ框
２４  上横框
２５  下横框
２６  戸車
３０  縦枠
３１  片
３２  係止片
３３  取付片
５０  上横枠
５１  片
５２、５３  ガイド
６０  下横枠
６１  片
６１ａ  貫通孔
６２  片
６２ａ  係合突起
６３  片
６３ａ  被係合部
６４  片
６５  片
６６  片
７０  レール
７１  レール
７２  網戸用レール
７３  片
７５  排水弁（弁）
７６  排水弁(弁）
８０  フタ材（着脱可能な片）
８１  基板
８１ａ  貫通孔
８２  係合片
８３  係合片
Ｃ、Ｃ’  中空部
Ｄ、Ｄ’  中空部（他の中空部）
【図１】
2010070917.tif 000003
【図２】
2010070917.tif 000004
【図３】
2010070917.tif 000005
【図４】
2010070917.tif 000006
【図５】
2010070917.tif 000007
【図６】
2010070917.tif 000008
【図７】
2010070917.tif 000009
【図８】
2010070917.tif 000010
【図９】
2010070917.tif 000011